(57)【要約】乾燥粉末吸入器（１００）であって、ブリスタディスク（１０５）、および、ベース上にピボット運動可能な形で設置されたアクチュエータ／浮き（１５２／１６２）とトレイ保持器（１１４）と、そして、ブリスタ開口部位置を覆うフード（２３４）を備えた分散エンジン（１６４）を有する吸入器。粉末通路（１１８）がフードをエンジンに相互接続している。粉末は、吸入によってブリスタから取り出され、フードおよびエンジンに入る。ブリスタトレイ組立部品（１０４）は、設置ハブ（３０１）上にピボット運動可能な形で支持されたブリスタディスクを有する。ロックアウトラチェット（３１０）はスプリングの力を受けてブリスタディスクにはまり、移動を妨げる。アクチュエータが逆に動くとロックアウトラチェットは外れ、ブリスタディスクを位置１つ分だけ進む形で運動させることができる。
2005520603.tif 000002
【特許請求の範囲】
【請求項１】
ブリスタディスク上のブリスタから複数ドーズ分の薬品を提供する吸入器であって、
ベースと、
ベース上で第１の位置から第２の位置へとピボット運動可能なアクチュエータと、
アクチュエータとかみ合う浮きであって、アクチュエータが第１の位置から第２の位置に移動する際に、当該アクチュエータが当該浮きを動かすことでブリスタディスク上のブリスタを開ける、という前記浮きと、を有すること、
を特徴とする吸入器。
【請求項２】
アクチュエータはベースの第１の側面にあり、ベースの第２の側面はブリスタトレイを保持するためのトレイ位置を有すること、
を特徴とする請求項１に記載の吸入器。
【請求項３】
ベース上にトレイ保持器を更に有し、トレイ保持器は開位置と閉位置との間を移動可能であり、アクチュエータは、トレイ保持器が閉位置にある時、少なくとも部分的にトレイ保持器に重なる位置に移動可能であること、
を特徴とする請求項１に記載の吸入器。
【請求項４】
アクチュエータ上のランプは浮きとかみ合い、アクチュエータは第１の軸を中心にピボット運動可能であり、浮きは第１の軸に対して垂直な第２の軸を中心にピボット運動可能であること、
を特徴とする請求項１に記載の吸入器。
【請求項５】
アクチュエータ上に、ベース内の開口部を通って延びることの可能な前進フィンガを更に有すること、
を特徴とする請求項１に記載の吸入器。
【請求項６】
トレイ内のブリスタディスク上のブリスタから複数ドーズの薬品を１ドーズずつ提供するための吸入器であって、
ベースプレートと、
ベースプレート上のトレイ保持器であって、トレイ保持部分を有する前記トレイ保持器と、
ベースプレート上にあって、ブリスタディスク上のブリスタを開ける働きをするアクチュエータと、を有し、
トレイ保持器は閉位置から開位置に移動可能であり、前記閉位置においては、トレイ保持器のトレイ保持部分がトレイをベースプレート上に固定し、前記開位置においては、トレイ保持部分はベースプレートから離れて間隔をあけることで、トレイの取り外しと交換とを可能にする、
という前記吸入器。
【請求項７】
トレイ保持器はピボット運動可能な形でベースプレートに装着されていること、
を特徴とする請求項６に記載の吸入器。
【請求項８】
ベースプレートの第１の側面にマウスピースフレームを更に有し、
トレイ保持器のトレイ保持部分は、トレイ保持器が閉位置にある時、トレイをマウスピースフレームとかみ合った状態に保持すること、
を特徴とする請求項７に記載の吸入器。
【請求項９】
アクチュエータは、トレイ保持器が閉位置にある時、トレイ保持器から離れた第１の位置からトレイ保持器に重なる第２の位置までピボット運動することが可能であること、
を特徴とする請求項７に記載の吸入器。
【請求項１０】
トレイ保持部分は、ブリスタトレイの背面部分の曲率半径におおよそ合致する曲率半径を有すること、
を特徴とする請求項７に記載の吸入器。
【請求項１１】
トレイ保持器は、ベースプレートの第２の側面にピボット運動可能な形で装着されたピボットアームを有し、トレイ保持部分はピボットアームに連結されていること、
を特徴とする請求項７に記載の吸入器。
【請求項１２】
ブリスタディスク上のブリスタ容器から乾燥粉末薬品の複数のドーズを１ドーズずつ送出する吸入器であって、
頂上面と底面とを有する吸入器ハウジングと、
吸入器ハウジングの上または中に、ブリスタ容器が上を向いた状態でブリスタディスクを保持する手段と、
ブリスタディスク上のブリスタ容器をハウジング内のブリスタ開口部位置に１つずつ進めていく手段と、
ブリスタ開口部位置でブリスタ容器の上面を開ける手段と、そして、
ブリスタ開口部位置の上にあるブリスタフードであって、ブリスタ開口部位置の開いたブリスタから粉末を吸い上げて分散エンジンに導く前記フードと、
を有することを特徴とする吸入器。
【請求項１３】
ブリスタディスク上のブリスタ容器から乾燥粉末薬品の複数のドーズを１ドーズずつ送出する吸入器であって、
吸入器ハウジングと、
吸入器ハウジング内のブリスタ開口部位置と、
ハウジング内の粉末分散エンジンと、
ブリスタ開口部位置の上にあるブリスタフードと、そして、
ブリスタフードから粉末分散エンジン内にまでつながる粉末経路と、
を有することを特徴とする吸入器。
【請求項１４】
マウスピース内部に延びるエンジンチューブを有する粉末分散エンジンを備えること、
を特徴とする請求項１３に記載の吸入器。
【請求項１５】
エンジンチューブ内に径方向内向きに延びたリブを更に有すること、
を特徴とする請求項１４に記載の吸入器。
【請求項１６】
ハウジング上のアクチュエータと、ブリスタ開口部位置にあってアクチュエータとかみ合う浮きとを更に有すること、
を特徴とする請求項１３に記載の吸入器。
【請求項１７】
浮きは、少なくとも部分的にブリスタフードの上にあり、アクチュエータが移動することで、浮きは動かされてブリスタディスク上のブリスタを切って開け、浮きはまた、開いたブリスタの上にブリスタフードを押し下げること、
を特徴とする請求項１６に記載の吸入器。
【請求項１８】
吸入器ハウジングに装着されたダストキャップを更に有し、当該装着は、ハウジングに対して鋭角を成す向きのヒンジによってなされていること、
を特徴とする請求項１３に記載の吸入器。
【請求項１９】
乾燥粉末吸入器の操作方法であって、
ブリスタディスクを保持するトレイを吸入器の上又は中に設置するステップと、
第１の軸を中心に第１の方向にアクチュエータをピボット運動させることで、浮きを第１の軸に対しておおよそ垂直な第２の軸を中心にピボット運動させ、それによって、浮きに、ブリスタディスク上のブリスタを切って開けさせるステップと、
空気流によって、開いたブリスタから粉末を取り上げて分散エンジンに導くステップと、
分散エンジン内で粉末を分散させるステップと、そして、
第１の方向とは反対の第２の方向にアクチュエータをピボット運動させて、トレイ内のブリスタディスクを進めるステップと、
を有することを特徴とする方法。
【請求項２０】
ブリスタディスクトレイ組立物であって、
底面壁と、
底面壁につながった、湾曲した側壁と、
底面壁上のブリスタディスク設置ハブと、
前記設置ハブ上にピボット運動可能な形で支持されたブリスタディスクと、そして、
底面壁上にあって、力を加えられて第１の位置に入るロックアウトラチェットと、を有し、
ロックアウトラチェットはブリスタディスクにはまることでブリスタディスクのピボット運動を妨げ、さらに、ロックアウトラチェットは一時的に、ブリスタディスクからはずれる第２の位置に移動することで、ブリスタディスクの設置ハブ上でのピボット運動を可能とすること、
を特徴とするトレイ組立物。
【請求項２１】
底面壁に環状のベース壁を更に有し、当該ベース壁は実質的にブリスタディスク設置ハブを囲んでいること、
を特徴とする請求項２０に記載のトレイ組立部品。
【請求項２２】
底面壁および側壁に連結した正面壁を更に有し、側壁の有する曲率半径は正面壁より大きくなっていること、
を特徴とする請求項２０に記載のトレイ組立部品。
【請求項２３】
側壁及び底面壁に連結された正面壁と、当該正面壁に装着された戻しスプリングとを更に有すること、
を特徴とする請求項２０に記載のトレイ組立部品。
【請求項２４】
側壁に隣接して形成されたブリスタ開口部位置を更に有し、当該ブリスタ開口部位置に戻しスプリングを有すること、
を特徴とする請求項２０に記載のトレイ組立部品。
【請求項２５】
径方向に隔たって間隔のあいた複数のタブを有するブリスタディスクを備え、そして、底面壁に装着され、ブリスタディスクのタブの下に重なる位置にくる、というブリスタタブベース壁を更に有すること、
を特徴とする請求項２０に記載のトレイ組立部品。
【請求項２６】
底面壁は外部面を有し、当該外部面は、トレイ組立物を揺れない状態で水平面に支持するための複数の足を有すること、
を特徴とする請求項２０に記載のトレイ組立部品。
【請求項２７】
トレイ内のブリスタディスク上のブリスタから薬品の複数のドーズを１ドーズずつ提供する吸入器であって、
ベースドーズウインドウを有するベースと、
ピボット運動可能な形でベースプレートに装着されたトレイ保持器であって、保持器ドーズウインドウを有する前記トレイ保持器と、
ピボット運動可能な形でベースに装着されたアクチュエータであって、アクチュエータドーズウインドウを有する前記アクチュエータと、を有し、
トレイ保持器は第１の位置から第２の位置まで移動可能であり、アクチュエータは第３の位置から第４の位置まで移動可能であり、そして、トレイ保持器が第１の位置にあり、アクチュエータが第３の位置または第４の位置にある際、ベースドーズウインドウと保持器ドーズウインドウとアクチュエータドーズウインドウとは互いに重なった状態になること、
を特徴とする吸入器。
【請求項２８】
ベースは第１の側面と第２の側面とを有し、トレイ保持器およびアクチュエータは両方ともベースの第１の側面にあること、
を特徴とする請求項２７に記載の吸入器。
【請求項２９】
アクチュエータは、間隔があいた配置で、２つの別個のアクチュエータドーズウインドウを有すること、
を特徴とする請求項２７に記載の吸入器。
【請求項３０】
ベースが第１の側面および第２の側面を有しており、ベースの第１の側面の第１の部分を覆う上側カバーを更に有し、そして、トレイ保持器がベースの第１の側面の第２の部分を覆う状態となっていること、
を特徴とする請求項２７に記載の吸入器。
【発明の詳細な説明】
【技術分野】
【０００１】
吸入器は、患者の肺に薬品を送り届けるために用いられる。一般的に、吸入器は、薬品粒子と空気または推進ガスとの混合物を内部に含むか、提供する。混合物は、患者の吸入動作を介して、吸入器のマウスピースから送出され、空気又は推進ガスが薬品粒子を運んで患者の肺に届ける形となる。
【背景技術】
【０００２】
乾燥粉末吸入器においては、細かい乾燥粉末の形をした薬品粒子が空気流の中に引き込まれ、各種の病気（たとえば、気管支ゼンソク）の治療を目的として、患者によって吸入される。乾燥粉末吸入器によって送り届けられた薬品は、肺を経て血流内に全身吸収されるという形で、肺そのものの症状とは無関係な病気を含む多くの病気の治療に用いることができる。
【０００３】
乾燥粉末吸入器を用いてドーズ分を効率よく送り届けるために、先ず、粉末粒子を分散させて、粉末／空気エアゾールを形成しなければならない。粉末エアゾールの形成については、様々な技術が提案されている。これらの技術の一部は、患者の吸入動作から生じる気流だけを用いて粉末を分散させる。また、他の技術として、チャンバの内部でプロペラを回転させることによって粉末エアゾールを形成する、というものがある。すなわち、動きの速い空気流を粉末の上または中を通る形で発生させる、というもの。そして、粉末の載せられたストリング、テープまたはメッシュを機械的な装置または超音波を用いて、揺する、振動させる、あるいは衝撃を与える、というものである。それらに加えて、粉末エアゾールを生成する技術は、他にも様々なものが提案され使用されているが、その成功の度合いも様々である。試みのポイントは今も、以下のような乾燥粉末吸入器を実現することに存する。すなわち、吸入のために乾燥粉末エアゾールを効果的に生成することが可能であり、その一方、他の領域（例えば、エアゾール生成の効率、信頼性、設計の複雑さ、経費、人間工学、ドーズ量の一定性、およびその他の要素）における効果も有する、という乾燥粉末吸入器である。
【０００４】
乾燥粉末吸入器は、定量ドーズ吸入器およびネビュライザまたは流体液滴吸入器に勝る効果をいくつか有する。一般的に、乾燥粉末吸入器には、環境に悪影響を与えるおそれのある推進ガスが不要である。また、乾燥粉吸入器は通常、ドーズの放出と当該ドーズの吸入との間で、ユーザが高度な調整作業を行う必要がない。薬品粒子をバーストや高速墳流の形で放出することはないので、ドーズの放出と吸入とをほぼ同時に行わせる必要がない。また、乾燥粉末吸入器の設計は、比較的信頼性が高く安価にすることができる。
【０００５】
また、乾燥粉末吸入器に複数ドーズ分の粉末を格納するための技術についても、様々なものが提案されている。こうした技術の中には、大量の粉末を容器に格納し、その容器には、計量装置、穴開け型又は切り開き型のゼラチンカプセル、あるいは、複数のブリスタを各々が穴あけ又は切り開けされる形で有するブリスタディスクを持たせる、というものがある。ケーキング、汚染、または、その他の好ましくない変化が生じるのを減らす目的で、薬品粉末をよりよく密封して外気から隔てるためには、ドーズ容器（例えば、ブリスタディスク）が個々に密閉されているという形が好ましい。ブリスタディスクを用いる吸入器は各種あるが、ドーズを順次放出するためにブリスタディスクを進め、ブリスタを開き、開いたブリスタから粉末を取り出してユーザが吸入できるようにする、というステップを実行する場合のやり方は、それぞれ異なっていた。こうした種類の吸入器をいくつか対象にして行った検査の結果は有望なものであったが、今もなお、効果的な人的要素特徴を提供すると共に、乾燥粉末吸入器におけるブリスタディスク動作を信頼性が高く正確なものにすることが、工学的な試みの対象であり続けている。
【発明の開示】
【発明が解決しようとする課題】
【０００６】
そこで、本発明は、改良型の乾燥粉末吸入器を提供することを目的とする。
【課題を解決するための手段】
【０００７】
本明の概念は以下のものを含む。すなわち、ブリスタを開ける目的で用いられるアクチュエータのピボット運動；保持器の移動を妨げる位置に移動することで、アクチュエータが定位置またはその近くにある場合にしかブリスタディスクの実装ができないようにする、というアクチュエータ；ブリスタが上を向いた状態でブリスタディスクを用い、それによって、空気流がブリスタから上方向に粉末を吸い上げるようにすること；上向きのブリスタを用いたドーズ重複投与防止システムであって、ユーザによる吸入が行われない限り、粉末は開いたブリスタに残り、分散チャンバその他のチャンバには持ち込まれない、というシステム；そして、吸入の間に移動してブリスタディスクと接触状態に入り、ブリスタディスクとの間に間隔をあけた状態となって、ブリスタディスクの位置を１つ進めることができるようにする、というブリスタフード。
【発明の効果】
【０００８】
第１の側面として、ブリスタディスク上のブリスタから複数ドーズの薬品粉薬を提供する吸入器は、ベース上にピボット運動可能な形で設置されたアクチュエータを有する。また、アクチュエータはランプを有するのが好ましい。そして、浮き又はプランジャが、アクチュエータ上のランプにはまっている。アクチュエータが第１の位置から第２の位置へ移動することで、ランプが浮きを動かしてブリスタを開ける。
【０００９】
第２の側面として、ベースは、開位置と閉位置との間で移動可能なトレイ保持器を有し、トレイ保持器が閉位置にある時、アクチュエータは、少なくとも部分的にトレイ保持器に重なる位置に移動可能となっている。
第３の側面として、トレイ保持器は閉位置から移動させることができ、閉位置における保持器は、ブリスタディスクトレイ組立物をベースの第１の側面に固定する。トレイ保持器はまた、開位置に移動させることができ、開位置における保持器は、ベースから離れて間隔があく状態となることで、ブリスタディスクトレイ組立物の取り外しや交換を可能とする。
【００１０】
第４の側面として、吸入器はブリスタ開口部位置の上に配置されるブリスタフードを有する。粉末経路は、吸入器内のブリスタフードから粉末分散エンジンにつながっている。吸入時、空気流は、開かれたブリスタから粉末を吸い上げてブリスタフードに入り、さらに粉末分散エンジンに達する。
第５の側面において、粉末分散エンジンはエンジンチューブを有し、当該チューブは、内向きに突き出して空気流の絞りとして働くリブを有している。
【００１１】
第６の側面においては、アクチュエータの移動によって、浮きがブリスタディスク上のブリスタを切って開ける結果となり、さらに、ブリスタフードを押し下げてブリスタディスクにかぶさるか、これと接触する状態になる、という形に浮きが配置されている。吸入時には、さらに多くの量の空気が開いたブリスタの上や周囲を流れ、薬品粉末をブリスタから運び上げて分散エンジンに入れる。
【００１２】
第７の、そして別の側面として、ダストキャップが、ハウジングに対して鋭角の向きとなるヒンジを用いて、吸入器ハウジングに装着されている。
乾燥粉末吸入器を動作させる方法について言えば、先ず、ブリスタディスクを保持しているトレイが吸入器内に設置される。アクチュエータが、第１の方向にピボット運動させられることで、ブリスタディスク上のブリスタを開ける。吸入が行われると、薬品粉末は、吸入空気流によって、開けられたブリスタから引き上げられて分散エンジンへと導かれる。粉末は、分散エンジンにおいて空気内に分散する。そして、アクチュエータが、元に戻る形で逆方向にピボット運動させられることで、トレイ内のブリスタディスクを進める。
【００１３】
乾燥粉末吸入器と共に用いられるブリスタディスクトレイ組立物は、設置ハブ上にピボット運動可能な形で支持されたブリスタディスクを有する。ロックアウトラチェットは、力を加えられてブリスタディスクにはまるスプリングであり、ブリスタディスクのいかなるピボット運動も阻止する。吸入器において用いられる場合、吸入器内でアクチュエータが戻り運動をすると、瞬間的に、ロックアウトラチェットがブリスタディスクから外れ、その結果、アクチュエータはブリスタディスクを増分方向に位置１つ分進めることができ、次のブリスタが開口部の位置に持ってこられる。
【００１４】
その他の更なる側面および効果については、添付図面と関連付けて以下の詳細な説明を読めば明らかになるであろう。以下に示し説明する実施の形態は１つだけであるが、こうした図面および説明は、本発明の普遍的概念の概要を示すことを意図したものである。もちろん、各種の別設計及び等価物も利用してよい。
また、本発明では、これまでに説明した様々な構成要素、副組立物、そして方法ステップの部分的組み合せ（sub-combination）についても考慮している。必ずしも、上述した各種側面が全て本発明に含まれる必要があるというわけではない。むしろ、これら側面は一般に、それぞれ単独で、又は、様々な組み合せや副組み合せの形で用いることができる。
【発明を実施するための最良の形態】
【００１５】
図面において、複数の図にまたがって同じ部材番号が表れる場合、それは同一の部材を示す。
ここからは、図面を見ながら詳細を説明する。先ず、図１乃至４に示すように、吸入器１００は、ベース（またはベースプレート）１０２の上にマウスピースフレーム１７６を有する。ダストキャップ１１２は、角度付けヒンジ１１５によって、ピボット運動可能な形でベースプレート１０２に固定されている。ブリスタディスクトレイ組立物１０４は、ベースプレート１０２の底面に装着、または、はめ付けられている。トレイ保持器１１４が、ベースプレート１０２上の所定位置にトレイ組立物１０４を固定する。アクチュエータ１０８は、５０〜８０度または６０〜７０度の範囲に渡ってピボット運動の形で移動させることができ、その移動によって吸入器１００が駆動される。また、上側カバー１３０が、ベースプレート１０２の上側面を覆う形で装着されている。
【００１６】
図４乃至７に示すように、ヒンジ組立物１１５は、ダストキャップ１１２にヒンジプレート１１８を有し、これは、上側カバー１３０上のヒンジトップ１３４とベースプレート１０２上のヒンジボトム１６０との間で固定されている。ヒンジプレート１１８は、ダストキャップ水平軸Ｈ−Ｈに対して鋭角ＡＮ（１５〜４５度、２０〜４０度、２５〜３５度、または３０度）を成す方向を向いている。軸Ｈ−Ｈは、ベースプレート１０２の平面（平らな上側面または下側面）に平行である。使用の際、吸入器１００は、軸Ｈ−Ｈが水平または水平に近い状態（重力に対して垂直な状態）で保持される。ヒンジプレート上の軸１１８、１２０は、ヒンジボトム１６０およびヒンジトップ１３４の中に延び、これらによって、ピボット運動可能な形で固定されている。また、マウスピース１１０は、図１１、１２に示すように、ベースプレート１０２上でマウスピースフレーム１７６に装着されている。図５に示すように、ダストキャップ１１２がピボット運動して開位置にくる場合、ダストキャップはマウスピース１１０から遠ざかる形で下向きに移動する。これによって、マウスピースの周囲には空間ができる。そのため、ダストキャップが吸入器の使用の妨げになることはない。
【００１７】
次に図８乃至１０を参照する。上側カバー１３０は上方浮き支持部１３６を有し、その位置は正面の近く、そして、一般にはバックエッジ１３２の反対側である。カバーハブ１３８は、カバー１３０の底面のほぼ中央に置かれる。ヒンジトップ１３４はカバー１３０の正面壁１３７に装着され、カバー面に対して角度ＡＮを成すものとする。
次いで、図１１、１２を参照する。マウスピース１１０は、背面側カップまたはベース１４６の上にステム１４２を有する。マウスピースチューブ１４４は、ステム１４２の中を通って延びている。カップ１４６の左端にあるノッチ１４８は、吸入器部品が組み立てられる際に、ヒンジ組立物１１５に空間を提供する。ステム１４２は、滑らかに輪郭加工されている。これで、使用時、ユーザの唇がステムを加える場合の感触がよくなるであろう。ここで一時的に図５を参照する。ここでは、ステム１４２は吸入器の右側にずれた位置にある。これによって、吸入器の使用時、ステム１４２とダストキャップ１１２との間にできる空間は更に大きくなる。
【００１８】
次いで図１３を参照する。同図は、吸入器１００の内部の構成要素を示している。アクチュエータ１５２は、ピボット運動可能な形で、ベースプレート１０２の上側面１６７にある中央ハブ１６８に装着される。粉末分散エンジン１６４は、ベースプレート１０２の正面に装着されている。トレイ保持器１１４は、ピボット運動可能な形で、ベースプレート１０２の上側面でピン１６６に装着されている。浮き１６２は、ピボット運動可能な形でベースプレート１０２に支持されており、分散エンジン１６４に隣接している。後で詳述するように、使用時、アクチュエータは浮きを動かし、ブリスタディスクトレイ組立物１０４におけるブリスタディスクにあるブリスタを開ける。
【００１９】
ベースプレート１０２については、図１４乃至１６に詳細に示してある。一般に円形をしたベースプレート１０２の底面１６９には、マウスピースフレーム１７６が装着されており、フレームはそこから下に延びている。浮き開口部１７８は、ベースプレート１０２を貫通する形で、マウスピースフレーム１７６とハブ１６８との間に延びており、一般にベースプレート１０２の中心を通る位置を占める。また、ハブ１６８の周囲には、複数の開口部１７１が設けられているが、これは製造をより容易にするためである。ドーズインジケータ用にベースプレートに設けられたウインドウ１８０は、ベースプレート１６２を貫通する形となっている。ベースプレート１０２の上側面にあるランプ１７２はアクチュエータ１０８と協力するが、これについては後で述べる。
【００２０】
図１７乃至１９に示すように、トレイ保持器１１４は、ピボットアーム１９０の端に開口部１９１を有し、当該アームは、ベースプレート１０２上のピン１６６にピボット運動可能な形で設置される。ピボットアーム１９０の上にあるフィンガーグリップ１９２は、ウインドウ１９４と内側に面したトレイつめ１９８とを有する。フィンガーグリップ１９２の内側エッジ１９６は、図１に示すカバー１３０のバックエッジ１３２に合わせて輪郭が作られている。ピボットアーム１９０の内側面１９３は弧を描く形となっているが、その形はおおよそ、ベースプレート１０２上のランプ１７２が示す弧に一致する。保持器１１４については、各種の等価物（ラッチ、スナップ、ゲート、さらに、これらに類似の装置など）と置き換えてもよい。特許請求の範囲において「保持器」という語は、吸入器の上にブリスタディスク（または、その他の薬品キャリヤ）を保持するのに役立つ構成要素または特徴部を意味する。
【００２１】
次いで、図２０乃至２２を参照する。アクチュエータ１０８はカーブした形のフィンガプレート２００を有し、当該プレート２００はアーム２０２に装着されており、その先にはハブ開口部２０６がつながっている。そして、ランプフランジ２１２が、ハブ２０６を部分的に囲む形で延びている。ランプフランジには前進フィンガ２０８が取り付けられている。前進フィンガ２０８には、ブリスタディスクに嵌まるつめ２１０があり、当該つめ２１０は、アクチュエータの移動に伴って、トレイ組立物１０４におけるブリスタディスクを前進させる。アーム２０２に取り付けられた移動インジケータ２０４は、第１および第２のウインドウ２２２、２２４と矢印穴２２６とを有し、これらは、ユーザに対して目に見える形で操作指示を示すのに役立つ。ランプフランジ２１２は、複合曲率を有する中央セクション２１３を備え、これに、扁平な開始セクション２１４と扁平な終端セクション２１６とが接する形となっている。中央セクションは、垂直方向にも水平方向にもカーブしており、らせん状のネジ山のような形で、アクチュエータ１０８の移動範囲にわたって浮き１６２と更に良好な状態でかみ合うようになっている。アクチュエータについては、様々な形とすることができる。特許請求の範囲における「アクチュエータ」という語は、ブリスタ（または、その他の薬品容器）を開ける目的で、ユーザによって直接または間接的に動かされる構成要素または特徴部を意味する。
【００２２】
ここで一時的に図３０を参照する。浮き１６２は第１および第２の脚を有し、Ｕ字フレーム２７６の形になっている。軸スタブ２８６は、Ｕ字フレームの各脚において外向きに延びている。また、カムつめ２２８が、Ｕ字フレームのつめプレート２８０から下向きに延びている。アクチュエータプレート２８２は、つめプレート２８０から間隔を開けて隔てられている。構成要素の組立の際には、アクチュエータ１０８のランプフランジ２１２が、つめプレート２８０とアクチュエータプレート２８２との間に形成されたスロット２８４にはまり込む。「浮き」という語は、ブリスタ又はその他の薬品容器を開けるために、アクチュエータによって直接または間接的に動かされる構成要素または特徴部を意味する。
【００２３】
アクチュエータ１０８がピボット型の運動をすると、その結果として、浮きが動かされて、軸スタブ２８６を中心にピボット運動し、ブリスタディスク上のブリスタを切って開ける。上側カバーの下面にある浮き支持部１３６が、車軸スタブとかみ合い、これらを上側から所定位置に保持するが、それと並んで、ベースプレート１０２上の支持部１７０が下側から車軸スタブとかみ合い、これらを保持する。
【００２４】
次に図２４乃至２７を参照する。エンジンバック２３２は、チャンババックプレート２３５内に形成されたバックビーズレース２４６を有する。また、取り付けピン２４４がバックプレート２３５から前向きに延びている。ブリスタフード２３４はフードプレート２３６上に形成されており、プレート２３６はバックプレート２３５に対しておおよそ垂直に取り付けられる。フードチャンバ２４０は、ブリスタフード内に形成されている。フードダクト２４２は、ブリスタフードを通って延び、エンジンバック２３２の正面側の面にある入口２４８につながっている。バック入口リセス２４９は、入口２４８からバックレース２４６まで延びている。フードプレート２３６にグルーブ２３８を設けて、その曲り特性を調節することにしてもよい。
【００２５】
次いで図２７を参照する。エンジンフロントプレート２３０はフロントビーズレース２６２を有し、当該レース２６２は、チャンバ出口２５４を囲み、サイズおよび形状においてエンジンバック２３２内のバックビーズレース２４６と一致している。チャンバ出口２５４は、エンジンフロント２３０から前向きに延びたエンジンチューブ２５８につながっている。ピン開口部２５６は、エンジンバック２３２上の装着ピン２４４がはまるように、位置決めおよび調節されている。エンジンフロントプレートの背面にあるフロント入口リセス２６０は、バックビーズレース２４６の中でつながり、エンジンバック２３２にある入口リセス２４９のミラーイメージとして形成されている。
【００２６】
次いで図２３、２４および図２７乃至２９を参照する。粉末分散エンジン１６４は、エンジンバック２３２とエンジンフロント２３０との組合せによって形成されている。取り付けピン２４４がピン開口部２５６にはまり、それによってエンジンフロントとエンジンバックとが固定されて一体化する。バックレース２４６がフロントレース２６２と重なって、ビーズチャンバ２５０が形成される。そして、組立が行われる前に、ビーズ２６４がビーズチャンバ２５０に入れられるが、それについては、国際特許出願ＰＣＴ／ＵＳ０１／０３２４８号に記述されている。「ビーズ」という語は、分散チャンバの中を自由に動くことで粉末を分散させることのできる１つ以上の物体を意味する。なお、上記の分散エンジン１６４の方が好ましくはあるが、これ以外の分散技術を用いてもよい（たとえば、ビーズその他の運動する部品の入っていないエンジン、固定又は可動、動力付き又は自由な回転羽根又はプロペラを有するエンジン、圧縮ガス、静電振動、圧電、あるいはその他の技術を用いるエンジン）。
【００２７】
ここで、図２８、２９を参照する。エンジンバック２３２がエンジンフロント２３０に装着されると、エンジンフロントのリップリング２６６が、エンジンバックのうち高くなったエリア２４９にはまって、より良好な形でビーズチャンバ２５０をふさぎ、密閉する（入口およびエンジンチューブ２５８は除く）。図２８に示すように、リブ２６８は径方向に延びており、エンジンチューブ２５８の中にまで入っている。リブはチューブ内で絞りを形成し、吸入時に流れを加速させる。図５に示すように、組み立てられた状態では、エンジンチューブ２５８は、マウスピース１１０にあるチューブ１４４を通る形となり、これと同心状態で延びる。
【００２８】
次いで、図３１および図３３乃至３５を参照する。トレイ組立物１０４は、トレイ２９０とブリスタディスク１０６とから成る。トレイの有する正面壁２９５は、マウスピースフレーム１７６の背面側とかみ合う形に作られている。正面壁２９５上のタブ３１４は、対応するスロット１８４（図３７に示すように、マウスピースフレーム１７６の背面にあるもの）に入り込む形で延びる。
【００２９】
図３４を参照すると、ブリスタディスク１０６は、ピボット運動可能な形でポスト３００に装着され、当該ポストは、おおよそ円形をしたトレイ２９０のおおよそ中央に配置されている。ポスト３００については、ロック用スプリングアーム３０１（または、その他の永久留め具）を有する形とするのが好ましい。これは、トレイ２９０からブリスタディスク１０６が分離するのを防ぐためである。ロックアウトアーム３１０は上方に延びており、これには、ブリスタディスク１０６のスポーク３６５がはまる。それによって、トレイ組立物１０４が吸入器１００から分離される際に、ブリスタディスク１０６が、いずれの方向（時計回り又は反時計回り）にもピボット運動又は回転運動することがないようにしている。ロックアウトアーム３１０は、アクチュエータによって瞬間的に押し下げられ、それによってブリスタディスク１０４の増分前進運動が可能となる。
【００３０】
ブリスタタブベース壁３０８は、トレイ２９０を囲む形で延びている（ブリスタ開口部位置３０９を除く）。ベース壁３０８は、使用時に、ディスク１０６がトレイ内部で増分的にピボット運動する際、特に、タブが駆動されてドーズ分の粉末が放出された後、ブリスタディスク１０６のタブを扁平又は平面的な状態に保つのに役立つ。第１の外壁３０４は、ブリスタディスク１０６の周辺部を支える。
【００３１】
図３６、３７に示すように、戻しスプリング３１６はクリップ部分３１８を有し、この部分３１８はトレイ２９０の正面壁２９５に装着され、ブリスタ開口部位置３０９の中にスプリングのアーム部分３２０が延びた状態となる。戻しスプリング３１６のアーム部分３２０は、タブが駆動されてブリスタから１ドーズ分の粉末が放出された後、ブリスタディスク１０６のタブをその開始位置に戻す形で働く。
【００３２】
図３３に示すように、トレイ２９０の底面には足２９２、２９４があるため、トレイ２９０を平らな面に載せた場合に傾きや振動は生じない。ラチェットロックの下の開口部３１２は、射出成形による製造を容易にする。ラベルリセス２９８は、開口部３１２を囲む形で設けられている。
ここで、図３１および図３８乃至４０を参照する。ブリスタディスク１０６は、好ましい構成として、硬いプラスチックベースのディスク３６４、金属ホイルシアー層３６２、およびブリスタ層３６０を有する。薬品粉末３５８を格納するブリスタ３５６は、ブリスタ層３６０に形成されている。シアー層３６２は、ブリスタ層３６０およびディスク３６４に固着されている。ディスク１０６は複数のタブ３５２を有し、これらのタブは、径方向に等しい間隔で隔てられており、ピボットアーム３５４上に支持されている。タブ３５２はいずれも、ベースディスク３６４に設けられたカットアウト３６６内部でピボット運動が可能であるが、その運動量は、シアー層３６２を開けてブリスタ３５６内の粉末３５８を放出するのに充分なものである。各タブ３５２を囲むタブ開口部３６６はスポーク３６５によって互いに隔てられている。各スポークの底面は、鋭角または径を伴う形で形成されているが、これは、各スポークがトレイ２９０上のラチェットロック３１０によって更に確実に保持されるようにするためである。ベースディスク３６４にある中央の取付け穴３５０は、トレイ２９０上のポスト３００にはまる。ブリスタディスク１０６の詳細については、国際特許公報ＷＯ ９６／３３７５９号に記述されている。使用時の吸入器１００においては、ディスクの底面（またはブリスタの側）は下を向いており、一方、ブリスタディスクのタブ側（図３９に示すもの）は、ベースプレート１０２方向にまっすぐ向いている。図３２に示すように、ブリスタは「上」に開く形となる。すなわち、シアー層が、密閉されたブリスタコンパートメントの頂上部を形成する。
【００３３】
次に、吸入器の動作について説明する。トレイ組立物１０４を設置または取り替える場合には、保持器ピボットポスト１６６を中心にしてトレイ保持器１１４を外向きにピボット運動させる。ここで図４１乃至４３を参照する。アクチュエータ１０８は定位置（格納位置）にある。トレイ組立物１０４（図３１に示すもの）を包装から取り出して、吸入器１００に設置する。具体的には、トレイ２９０の正面壁２９５がマウスピースフレーム１７６の背面壁に接する位置に置く。ここで一時的に、図１５、３４および図３７を参照する。トレイ２９０の正面壁２９５から前向きに延びるガイドタブ３１４は、マウスピースフレーム１７６の背面壁にあるタブスロット１８４に挿入される。そうして、トレイ３１０を移動させると、トレイはプレート１０２と接触状態に入り、当該プレート１０２に対して実質的に同じ高さに来る。ここから、トレイ保持器１１４を内向きにピボット運動させて、トレイ組立物１０４を所定位置に固定する。図１８に示した保持器つめ１９８は、トレイ２９０の背面にあるインデント２９６の中にはまり、トレイ組立物１０４を所定位置に固定する。そうすると、吸入器１００は図１に示す状態となる。すなわち、トレイ組立物１０４が取り付けられ、トレイ保持器１１４およびアクチュエータ１０８は定位置にある。タブ３１４およびスロット１８４に鍵をつけて、特定の薬品が入ったトレイ組立物１０４しか吸入器に取り付けられないようにすることも可能である。
【００３４】
次いで、図１３、図３４（ａ）、（ｂ）および図３９を参照する。トレイ組立物１０４が吸入器１００から取り外された状態では、ロックアウトラチェット３１０は常に上を向いた形となり、その中に、ブリスタディスク１０６が有するスポーク３６５の１つがはまり、ブリスタディスク１０６がピボット運動することを防止する。これによって、トレイ内でブリスタディスクが不注意によっていずれかの方向に進んでしまう、という事態は防止される。そうした事態は、スキップされたブリスタに入っているドーズにアクセスできなくなる、あるいは、既にアクセス済みのブリスタが駆動されてドーズが放出されない、という結果につながるものである。トレイ組立物１０４が吸入器に取り付けられた状態でも、ロックアウトラチェット３１０は、常にスポーク３６５のうち１つにはまった状態を保ち、ブリスタディスク１０６のピボット運動を防止する。ただし、アクチュエータが定位置に戻される瞬間は例外であり、それについては以下に述べる。ラチェットロックはＹ字形状スロット３６７を有し、当該スロットは、まっすぐな側壁３６８を有する下側部分と角度の付いた側壁３７０を有する上側部分とを有する。ブリスタディスクのスポーク３６５については、はまった状態になった時、少なくとも、まっすぐな側壁の間の途中の位置にまで達する。
【００３５】
次いで、図４４乃至４６を参照する。ユーザはダストキャップ１１２をピボット運動させて開く。ブリスタを開けてドーズ分の粉末を放出させる際には、ユーザは、吸入器を水平に近い状態にして、アクチュエータ１０８を押すかスライドさせて、図４４に示す保存位置ＡＡから図４６に示す吸引位置ＣＣまで移動させる。これによって、アクチュエータ１０８のフィンガプレート２００はトレイ保持器１１４の上まで移動する。
【００３６】
次いで、図１３および図４４乃至４６を参照する。フィンガプレート２００が定位置（保存位置）ＡＡから吸引位置ＣＣまで押されると、アクチュエータ１０８は、中央ハブ１６８を中心に円を描く形でピボット運動する。前進つめ２１０およびフィンガ２０８は、ガイド１７４の上に乗って、これにかぶさる。アクチュエータのランプフランジ２１２は、軸スタブ２８６を中心に浮き１６２をピボット運動させる。浮き１６２にあるカムつめ２７８は、ブリスタ開口部位置３０９に置かれたタブ３５２の内部部分３５５を押さえつける。ブリスタタブ３５２は、ピボットアーム３５４上でピボット運動し、ブリスタ３５６を切って開く。これで、１ドーズの吸入準備が完了する。
【００３７】
患者は、マウスピース１１０のステム１４２を口に入れて吸引を行う。空気は吸入器１００を通って吸い込まれ、開いた状態になっているブリスタ３５６の上を通ってフードチャンバ２４０に入り、入口２４２を通って分散エンジン１６４のビーズチャンバ２５０に入る。ブリスタフード２３４は、ブリスタ開口部位置３０９において（開けられた）ブリスタのすぐ上の位置にある。
【００３８】
浮き１６２が下に移動して、ブリスタタブ３５２をピボット運動させることでブリスタを開くと、戻しスプリング３１６のアーム３２０が、ブリスタタブ３５２の底面によって押し下げられる。浮き１６２はまた、ブリスタフード２３４もわずかに押し下げるが、これは、当該浮きがピボット運動の限界点に達する時点である。これによって、ブリスタフード２３４は下方向に曲がって、ブリスタディスクと接触することになる。ブリスタフード２３４とディスク１０６との間にあるスペース又は隙間ＧＧ（図３２に示すもの）は閉じる。これにより、ブリスタフードへの空気流は、開いたブリスタの上のスペースに集中させられる。その結果、ブリスタからの粉は、より効果的に持ち上げられて、空気流に乗せられる。アクチュエータが逆さにされると、浮きが持ち上がり、リスタフードはブリスタディスクから離れる。それによって、ブリスタディスクを進めることができるようになる。フードプレート２３６は、フードのこうした移動（通常、０.１〜０.３mm）を可能にするだけの柔軟性を有する。
【００３９】
ランプフランジ２２６の終端部分２１４、２１６は平らになっているが、それは、移動の限界位置近くで浮き１２０がそれ以上移動しないようにするためである。これにより、アクチュエータ１０８の方向を更に容易に変えることができる。
浮き１６２とブリスタディスク１０６上のブリスタタブ３５２との間の相互作用の形は、初期の接触状態の間、浮きのカムつめ２７８がタブの内部チップに接触するように確立される。これによって、ブリスタを切って開けるための、更なるテコ作用が提供される。ブリスタタブ３５２がピボット運動を開始すると、カムつめ２４４は内向きに移動してピボットアーム３５４に近づき、それによって、浮きの移動に対するタブのピボット運動をさらに大きくする。この設計、そして、ランプフランジの設計によって、浮きとブリスタタブとの間の相互作用は、移動の開始時には、ブリスタを切って開くために、大きくしたテコ作用および力を提供し、それから後、シアー層３６２のせん断が開始されてからは、力を小さくする一方で、移動を長くする。
【００４０】
ユーザがマウスピースをくわえて吸入動作を行うと、開けられたブリスタ３５６の上および周囲を空気が流れる。ブリスタ３５６内の粉末は空気流に巻き込まれる。空気／粉末混合物は上向きに流れてブリスタフード２３４に入り、入口２４２を通ってビーズチャンバ２５０に入る。ビーズチャンバの中のビーズ２６４は、チャンバの中を高速で動き回る。これは、粉末を外に出す働きをするとともに、有効薬品粒子を不活発な運搬役粒子から分離する上でも有用である。これについては、国際特許出願ＰＣＴ／ＵＳ０１／０３２４８号に記述されている。外に出た粉末と空気とは、エンジンチューブ２５８を通って流れ出し、ユーザに吸引される。
【００４１】
ここで図５を参照する。エンジンチューブ２５８とマウスピースチューブ１４４との間の環状ギャップ２５９を通って、シース空気が同時に流れ出す。シース空気は、マウスピース１１０の側面から吸い込まれるもので、粉末を含んでいない。従って、粉末を伴ってエンジンチューブ２５８を出る空気は、シース空気に大きく囲まれることになる。これは、マウスピース１１０の上または中に残ったり留まったりする薬品粒子を減らすのに役立つと共に、ユーザの唇、口またはのどに留まる量を減らしてくれる可能性もある。
【００４２】
ユーザが１ドーズ分を吸入した後、アクチュエータ１０８は図４４に示す定位置ＡＡに戻される。その際に、ランプフランジ２１２は、浮き１６２をピボット運動させて、その水平位置（または定位置）に入れる。戻しスプリング３１６のアーム３２０は、ブリスタタブ３５２を水平位置に押し戻す。アクチュエータ１０８の前進フィンガ２０８が有するつめフランジ２１１は下に移動し、ガイド１７４（図１３に示す）の下に入り、ベースプレート１０２のアクチュエータ開口部１８２を通る。ここから、つめフランジ２１１はラチェットロックアウト３１０を押し下げる。そうして、スポーク３６５は、ラチェットロック３１０内のＹ字スロット３６７が有する２つの角度付け側壁３７０の間の位置に置かれる。つめ２１０は、ブリスタディスク１０６のカットアウト３６６内に移動し、ブリスタディスクをブリスタ１つ分の位置だけピボット運動させる。ディスクが移動し始めると、スポーク３６５は、角度付けスロット壁３７０の上に出てかぶさる形となって、ラチェットロックを更に押し下げる。その後、ラチェットロック３１０は跳ね上がって戻り、次のスポークに嵌まる。その時点で、吸入器１００は、次のドーズを放出する準備が完了した状態となる。図１３、図３４（ａ）に示すように、ラチェットロック３１０は、トレイの左側（又は進行側）から上に延び、トレイ２９０の中に、あるいは、これを横切る形で延びる（水平弦として）。これらの図では、吸入器およびトレイを上から見た形で示しているため、ディスクに付けられた目盛りは時計回りとなっている。従って、ディスクの目盛りが進む際には、ラチェットロックの位置によって、ディスクは、逆進させるよりも前進させるほうが容易になっている。これによって、通常の形で目盛りを前に進めたり回転させたりする場合に必要な力は小さくなり、さらに、逆方向に目盛りが進まないようにガードが施されることにもなる。
【００４３】
ここで図１３を参照する。吸入器は、好ましい構成として、ユーザにフェイルセーフ薬有効性（fail-safe drug availability）を提供するように設計されている。アクチュエータが、図４４に示す定位置（または保存位置）ＡＡから、図４５に示す中間位置ＢＢ又はその近くまでしか移動せず、さらに、ブリスタが切られて開かないうちに（すなわち、シール層が無傷の状態のままで）定位置ＡＡに戻ってしまった場合、前進は生じない。この場合、アクチュエータのつめ２１０及びフィンガ２０８は、ガイド１７４の上に出てかぶさる形となる。そうして、開かれず密閉されたままのブリスタは、所定のブリスタ開口部位置に留まる。これは、アクチュエータの特徴部（ガイドおよび浮き）の相対位置を通して実現される。一方、ブリスタを切って開ける動作が始めるのに充分な遠さまでアクチュエータが移動し、ブリスタがもはや密閉されていない状態になると、その時には、つめ２１０はガイド１７４の端を越えており、それから更に、ガイドの下に下がって、アクチュエータが定位置に戻される際に、ブリスタディスクを次のブリスタに進める。これには、ドーズ分の粉末が、粉末の性質に影響を及ぼす（粒子サイズが増大、固化、集塊などを生じさせる）ほど長い期間外気にさらされた後に吸入される、という事態を防止するのに大きく役立つ。
【００４４】
図４４に示す吸入器では、ベースプレート１０２の保持器１１４、１８０にあるドーズウインドウ１９４とアクチュエータ１０８内の第１ウインドウ２２４とは位置が重なっている。そのため、番号を付けられたブリスタの中で、これらウインドウに重なったものが外から見えることになる。そうして、ユーザは、ブリスタディスクに残るドーズの数を知ることができる。図４６に示すように位置ＣＣにくると、アクチュエータの第２ウインドウ２２２が他のウインドウと重なって、番号を付けられたブリスタが再び外から見える状態となる。これによって、ユーザは、アクチュエータが前に進む運動が完了したことを目で見て確認することができる。一方、アクチュエータが図４５に示す中間位置にある場合は、ウインドウ１９４内に矢２２６が見える。これは、目に見える形で、アクチュエータを更に動かして吸入位置ＣＣに進めなければならない、ということを示す。矢は、ウインドウと重なったブリスタに刻まれたドーズ番号の一部を遮る。
【００４５】
図に示す実施の形態では、ブリスタディスク１０５は、最大１６個のブリスタ用スペースを有する。ブリスタの全てが開けられ使用された後、ブリスタディスクトレイ組立物１０４は交換される。トレイ保持器１０６は、図４１に示すように開けられる。そこから、トレイ組立物１０４は引き出されて、吸入器１００から外され、既に述べたような形で、新しいトレイ組立物１０４が設置される。保持器１１４を開けるため、又は解放するためには、アクチュエータ１０８が定位置ＡＡ又はその近くになければならないので、トレイ組立物１０４が交換される際、浮きは自動的にその定位置又は上向き位置にある。これによって、新しいトレイ組立物が設置される際、ブリスタが不注意で開けられる事態は防止される。
【００４６】
次いで、図１３および図３２を参照する。ブリスタフード２３４は、縦方向に見て、ブリスタ開口部位置３０９のブリスタ３５６より上にある。従って、ブリスタ３５６内の粉末は、重力に逆らって上方向に流れる形で、ユーザの吸入動作によって生じる空気の流れに伴出される。テスト結果によれば、粉末の約１０%が上向きブリスタの中に残る。しかし、投与対象ドーズの細かい粒子片については、高い率が保たれる。明らかにこうしたことが起こるのは、よりゆるい状態でキャリア用粒子に付着する有効薬品粒子の方が、上向きブリスタ３５６から先に流れ出てしまうことによる。１ドーズ分が放出された後もブリスタに残る残留粉末は、粒径がより大きくなっている分、吸入可能性も低くなっている。よって、吸入可能性のない粒子については、ブリスタ３５２から出て分散エンジン１６４内に入る数はさらに少なく、その後ユーザによって吸入される粒子は、そこから更に少なくなる。
【００４７】
吸入器のうち薬品粉末と接触する面は、単一のサブアセンブリ（すなわち、フードおよびエンジンチューブを有する分散エンジン）の一部に限られる。これによって、本吸入器は、様々な薬品と共に使用できる柔軟性を有することになる。
図１３および図３２に示す設計は、ドーズの重複投与を抑止する働きをする。ブリスタ３５６が切られて開かれた際、粉末３５８がブリスタから外に落ちることはなく、粉末は、吸入が行われるまでブリスタに残る。したがって、ブリスタが開けられたもののユーザによる吸入が行われず、そのままアクチュエータが再び移動した場合、ブリスタ３５６は単に、そこに粉末３５８が残った状態で再び閉じられて（透明層は切られているが、タブがピボットして閉じる）、新しいブリスタが、ブリスタ開口部位置３０９に重なる位置に持ってこられる。
【００４８】
単一使用型の実施の形態では、ブリスタディスク及び／又はトレイ（またはトレイ組立物）は、吸入器の一部または、吸入器に恒久的に装着された部分（こうするのが効率的である）とすればよい。そうして、ブリスタディスクの全ドーズが使用されたあと、吸入器は捨てられる。こうした実施の形態では、保持器またはラッチ１１４、およびトレイ特徴部は省いてもよい。
【図面の簡単な説明】
【００４９】
【図１】新奇な粉末吸入器を上方から見た斜視図であり、格納状態で示す図である。
【図２】図１の吸入器の底面図である。
【図３】図１の吸入器を示す右側面図である。
【図４】図１の吸入器を示す正面図であり、ダストキャップが閉じられた状態で示す図である。
【図５】図１の吸入器を示す正面図であり、ダストキャップが開いた状態で示す図である。
【図６】図４及び５のダストキャップを上方から見た斜視図である。
【図７】図６のダストキャップを示す背面図である。
【図８】図１に示す吸入器のトップカバーを上方から見た斜視図である。
【図９】図８に示すトップカバーを下側から見た斜視図である。
【図１０】図８及び９に示すカバーの右側面図である。
【図１１】図５に示す吸入器にあるマウスピースを正面側から見た斜視図である。
【図１２】図１１のマウスピースを後ろ側から見た斜視図である。
【図１３】図１に示す吸入器を正面側の上方から見た斜視図であり、図８に示すトップカバーを外した状態で示す図である。
【図１４】図１３に示すベースプレートを正面側の上方から見た斜視図である。
【図１５】図１４のベースプレートを背面側の下側から見た斜視図である。
【図１６】図１４のベースプレートの右側面図である。
【図１７】図１、３に示すブリスタディスクトレイラッチの平面図である。
【図１８】図１７のラッチを上方から見た斜視図である。
【図１９】図１７のラッチの右側面図である。
【図２０】図１３に示すアクチュエータを左上方から見た斜視図である。
【図２１】図２０のアクチュエータを上方から見た図である。
【図２２】図２０のアクチュエータを左側の上方から見た斜視図である。
【図２３】図１３に示す分散エンジンを上方から見た斜視図である。
【図２４】図２３に示す分散エンジンを下側から見た斜視図である。
【図２５】分散エンジンのバックを背面側の上方から見た斜視図である。
【図２６】図２５のエンジンバックを正面側から見た斜視図である。
【図２７】図２３に示すエンジンのフロントを背面側から見た斜視図である。
【図２８】図２３に示す分散エンジンの断面図であり、図２３の線２８−２８における断面を示す図である。
【図２９】図２８の左側部分の詳細を拡大して示す図である。
【図３０】図１３に示す浮き（dobber）を下側から見た斜視図である。
【図３１】図２に示すブリスタディスクトレイ組立部品を上方から見た斜視図である。
【図３２】図２３の分散エンジン及び図３１に示すブリスタディスクトレイ組立部品のブリスタディスクを示す側面図である。
【図３３】図３１に示すブリスタディスクトレイを下側から見た図である。
【図３４】（ａ）は、図２、３１、３３に示すブリスタディスクトレイを正面側の上方から見た斜視図であり、（ｂ）は、（ａ）に示すラチェットロックの正面拡大図である。
【図３５】図３４に示すブリスタディスクトレイの右側面図である。
【図３６】図３１に示すブリスタディスクトレイのスプリングを側面下側から見た斜視図である。
【図３７】図１の吸入器を上から見た部分斜視図であり、明瞭に示すために、ブリスタディスクトレイ組立部品が取り外され、図３６のトレイのスプリングが所定位置に置かれた状態で示す図である。
【図３８】図３１及び３２に示すブリスタディスクの分解斜視図である。
【図３９】図３８に示すブリスタディスクの平面図である。
【図４０】図３９の線４０−４０における断面を示す図である。
【図４１】図１の吸入器の平面図であり、ブリスタディスクトレイのラッチが開位置にある状態を示す図である。
【図４２】図４１に示す吸入器の底面図であり、図３１のブリスタディスクトレイ組立部品が取り外された状態で示す図である。
【図４３】図４２に示すラッチの詳細を拡大して示す図である。
【図４４】図１の吸入器を正面側の上方向から見た斜視図であり、ダストキャップが開かれ、アクチュエータが格納位置（定位置）にある状態で示す図である。
【図４５】図４４の吸入器を正面側の上方から見た斜視図であり、アクチュエータが吸入位置に向かって移動している状態を示す図である。
【図４６】図４４の吸入器を正面側の上方向から見た斜視図であり、アクチュエータが移動を終えて完全に吸入位置に入った状態を示す図である。
【図１】
2005520603.tif 000003
【図２】
2005520603.tif 000004
【図３】
2005520603.tif 000005
【図４】
2005520603.tif 000006
【図５】
2005520603.tif 000007
【図６】
2005520603.tif 000008
【図７】
2005520603.tif 000009
【図８】
2005520603.tif 000010
【図９】
2005520603.tif 000011
【図１０】
2005520603.tif 000012
【図１１】
2005520603.tif 000013
【図１２】
2005520603.tif 000014
【図１３】
2005520603.tif 000015
【図１４】
2005520603.tif 000016
【図１５】
2005520603.tif 000017
【図１６】
2005520603.tif 000018
【図１７】
2005520603.tif 000019
【図１８】
2005520603.tif 000020
【図１９】
2005520603.tif 000021
【図２０】
2005520603.tif 000022
【図２１】
2005520603.tif 000023
【図２２】
2005520603.tif 000024
【図２３】
2005520603.tif 000025
【図２４】
2005520603.tif 000026
【図２５】
2005520603.tif 000027
【図２６】
2005520603.tif 000028
【図２７】
2005520603.tif 000029
【図２８】
2005520603.tif 000030
【図２９】
2005520603.tif 000031
【図３０】
2005520603.tif 000032
【図３１】
2005520603.tif 000033
【図３２】
2005520603.tif 000034
【図３３】
2005520603.tif 000035
【図３４】
2005520603.tif 000036
【図３５】
2005520603.tif 000037
【図３６】
2005520603.tif 000038
【図３７】
2005520603.tif 000039
【図３８】
2005520603.tif 000040
【図３９】
2005520603.tif 000041
【図４０】
2005520603.tif 000042
【図４１】
2005520603.tif 000043
【図４２】
2005520603.tif 000044
【図４３】
2005520603.tif 000045
【図４４】
2005520603.tif 000046
【図４５】
2005520603.tif 000047
【図４６】
2005520603.tif 000048
【国際調査報告】
2005520603.tif 000049
2005520603.tif 000050